【手続補正書】
【提出日】平成25年2月19日(2013.2.19)
【手続補正１】
【補正対象書類名】明細書
【補正対象項目名】発明の名称
【補正方法】変更
【補正の内容】
【発明の名称】眼科装置及びその制御方法
【手続補正２】
【補正対象書類名】明細書
【補正対象項目名】０００１
【補正方法】変更
【補正の内容】
【０００１】
本発明は、眼科装置及びその制御方法に関し、特に、固視標移動時に発生する追尾機能への工夫を為した眼科装置及びその制御方法に関する。
【手続補正３】
【補正対象書類名】明細書
【補正対象項目名】００１１
【補正方法】変更
【補正の内容】
【００１１】
上記課題を解決するために、本発明の眼科装置は、
固視標を提示する固視標提示手段と、
被検眼の第一の眼底像を取得し、前記固視標の提示位置が前記固視標提示手段により変更された後に前記被検眼の第二の眼底像を取得する眼底像取得手段と、
前記第一の眼底像から複数の特徴画像を抽出し、前記第二の眼底像における変更後の前記提示位置に基づく範囲より少なくとも一つの特徴画像を抽出する抽出手段と、
を有することを特徴とする。
また、上記課題を解決するために、本発明の眼科装置の制御方法は、
特徴画像抽出方法であって、
固視標の提示位置に応じた被検眼の第一の眼底像を取得する工程と、
前記第一の眼底像から第一の特徴画像を抽出する工程と、
前記固視標の提示位置を変更した後に前記被検眼の第二の眼底像を取得する工程と、
前記第二の眼底像に前記第一の特徴画像が含まれるか否かを判断する工程と、
前記第二の眼底像において、前記固視標の変更後の提示位置に基づく範囲から少なくとも第二の特徴画像を抽出する範囲を設定する工程と、を有する。
また、本発明の眼科装置は、
固視標を提示する固視標提示手段と、
被検眼の第一の眼底像を取得し、前記固視標の提示位置が前記固視標提示手段により変更された後に前記被検眼の第二の眼底像を取得する眼底像取得手段と、
前記第一の眼底像から複数の特徴画像を抽出し、前記第二の眼底像における変更後の前記提示位置に基づく範囲より少なくとも一つの特徴画像を抽出する抽出手段と、を有する。
【手続補正４】
【補正対象書類名】特許請求の範囲
【補正対象項目名】全文
【補正方法】変更
【補正の内容】
【特許請求の範囲】
【請求項１】
固視標を提示する固視標提示手段と、
被検眼の第一の眼底像を取得し、前記固視標の提示位置が前記固視標提示手段により変更された後に前記被検眼の第二の眼底像を取得する眼底像取得手段と、
前記第一の眼底像から複数の特徴画像を抽出し、前記第二の眼底像における変更後の前記提示位置に基づく範囲より少なくとも一つの特徴画像を抽出する抽出手段と、
を有することを特徴とする眼科装置。
【請求項２】
前記提示位置に基づく前記範囲は、前記第一の眼底像に含まれず且つ前記第二の眼底像に含まれる像の少なくとも一部を含む範囲であることを特徴とする請求項１に記載の眼科装置。
【請求項３】
前記抽出された複数の特徴画像において前記取得された第二の眼底像に含まれる特徴画像、及び前記抽出された少なくとも一つの特徴画像を用いて、パターンマッチングを実行する手段を更に有することを特徴とする請求項１又は２に記載の眼科装置。
【請求項４】
前記固視標の前記提示位置が変更された後に、前記抽出された複数の特徴画像の各々が前記取得された第二の眼底像に含まれるか否かを判定する判定手段と、
前記第二の眼底像において前記判定手段による判定結果に応じて、変更後の前記提示位置の前記範囲を決定する決定手段と、を更に有し、
前記抽出手段は、前記決定された範囲から前記少なくとも一つの特徴画像を抽出することを特徴とする請求項１乃至３のいずれか１項に記載の眼科装置。
【請求項５】
前記第二の眼底像における前記特徴画像各々に応じた画像を除いた画像を前記範囲として決定する決定手段を更に有し、
前記抽出手段は、前記決定された画像から前記少なくとも一つの特徴画像を抽出することを特徴とする請求項１乃至３のいずれか１項に記載の眼科装置。
【請求項６】
前記決定手段は、前記抽出された複数の特徴画像の少なくとも一つが前記第二の眼底像に含まれていないと判定された場合に、前記第二の眼底像における変更後の前記提示位置に基づいて前記範囲を決定することを特徴とする請求項４又は５に記載の眼科装置。
【請求項７】
測定光を前記被検眼に照射して得られる反射光と、参照光との干渉により前記被検眼の断層画像を得る断層画像取得手段と、
前記第一及び第二の特徴画像から前記被検眼の動きを検出する検出手段と、
前記検出手段により検出された前記被検眼の動きに基づいて前記被検眼に照射する前記測定光の照射位置を補正する補正手段と、
を更に有することを特徴とする請求項１乃至６のいずれか１項に記載の眼科装置。
【請求項８】
前記被検眼において前記測定光を走査する走査手段を更に有し、
前記補正手段は、前記走査手段を制御して前記補正を行うことを特徴とする請求項７に記載の眼科装置。
【請求項９】
前記第一の眼底像は、二次元画像であり、
前記複数の特徴画像は、一次元の線分もしくは二次元画像であることを特徴とする請求項１乃至８のいずれか１項に記載の眼科装置。
【請求項１０】
眼科装置の制御方法であって、
固視標の提示位置に応じた被検眼の第一の眼底像を取得する工程と、
前記第一の眼底像から複数の特徴画像を含む第一の特徴画像を抽出する工程と、
前記固視標の提示位置を変更した後に前記被検眼の第二の眼底像を取得する工程と、
前記第二の眼底像において、前記固視標の変更後の提示位置に基づく範囲から少なくとも一つの第二の特徴画像を抽出する工程と、
を有することを特徴とする眼科装置の制御方法。
【請求項１１】
前記提示位置に基づく前記範囲は、前記第一の眼底像に含まれず且つ前記第二の眼底像に含まれる像の少なくとも一部を含む範囲であることを特徴とする請求項１０に記載の眼科装置の制御方法。
【請求項１２】
前記抽出された第一の特徴画像において前記取得された第二の眼底像に含まれる特徴画像、及び前記抽出された第二の特徴画像を用いて、パターンマッチングを実行する工程を更に有することを特徴とする請求項１０又は１１に記載の眼科装置の制御方法。
【請求項１３】
前記固視標の前記提示位置が変更された後に、前記抽出された第一の特徴画像の各々が前記取得された第二の眼底像に含まれるか否かを判定する工程と、
前記第二の眼底像において前記判定する工程における判定結果に応じて、変更後の前記提示位置の前記範囲を決定する工程と、を更に有し、
前記第二の特徴画像を抽出する工程において、前記決定された範囲から前記第二の特徴画像を抽出することを特徴とする請求項１０乃至１２のいずれか１項に記載の眼科装置の制御方法。
【請求項１４】
前記第二の眼底像における前記抽出された第一の特徴画像各々に応じた画像を除いた画像を前記範囲として決定する工程を更に有し、
前記第二の特徴画像を抽出する工程において、前記決定された画像から前記第二の特徴画像を抽出することを特徴とする請求項１０乃至１２のいずれか１項に記載の眼科装置の制御方法。
【請求項１５】
前記決定する工程において、前記第一の特徴画像の少なくとも一つが前記第二の眼底像に含まれていないと判定された場合に、前記第二の眼底像における変更後の前記提示位置に基づいて前記範囲を決定することを特徴とする請求項１３又は１４に記載の眼科装置の制御方法。
【請求項１６】
測定光を前記被検眼に照射して得られる反射光と、参照光との干渉により前記被検眼の断層画像を得る工程と、
複数の前記第一及び第二の特徴画像から前記被検眼の動きを検出する工程と、
前記検出手段により検出された前記被検眼の動きに基づいて前記被検眼に照射する前記測定光の照射位置を補正する工程と、
を更に有することを特徴とする請求項１０乃至１５のいずれか１項に記載の眼科装置の制御方法。
【請求項１７】
前記被検眼において前記測定光を走査する走査手段を更に有し、
前記補正手段は、前記走査手段を制御して前記補正を行うことを特徴とする請求項１６に記載の眼科装置の制御方法。
【請求項１８】
前記第一の眼底像は、二次元画像であり、
前記第一の特徴画像は、一次元の線分もしくは二次元画像であることを特徴とする請求項１０乃至１３のいずれか１項に記載の眼科装置の制御方法。
【請求項１９】
請求項１０乃至１８のいずれか１項に記載の眼科装置の制御方法の各工程をコンピュータに実行させることを特徴とするプログラム。